(57)【要約】【課題】分離シール部が容器本体の内圧に基づく径方向内側からの応力によって分離され易く、流通時に外側から作用する応力によって分離され難いポーション容器及び同ポーション容器の封止に用いるシールヘッド、および、同シールヘッドを用いて封止された容器を提供する。【解決手段】内容物を収納した容器本体の開口部に蓋体９を溶着するべく、蓋体９を開口部のフランジ５に押し付けるための押圧端部３１Ａ，３１Ｂを有し、押圧端部３１Ａ，３１Ｂの少なくとも一部が、開口部の径方向内側の部位Ｑ１と径方向外側の部位Ｑ２との間で断面輪郭の曲率半径が異なる不均等凸部３１Ａとして形成されているシールヘッドとした。【選択図】図９
2015009881.tif 000002
【特許請求の範囲】
【請求項１】
内容物を収納した容器本体の開口部に蓋体を溶着するべく、前記蓋体を前記開口部に押し付けるための押圧端部を有するシールヘッドであって、
前記押圧端部の少なくとも一部が、前記開口部の径方向内側と径方向外側との間で断面輪郭の曲率半径が異なる不均等凸部として形成されているシールヘッド。
【請求項２】
前記不均等凸部の前記断面輪郭は、前記径方向内側が径方向外側よりも曲率半径の小さな形状を備えている請求項１に記載のシールヘッド。
【請求項３】
前記押圧端部が前記開口部の全周に沿って無端状に延びた環状突起を構成しており、
前記不均等凸部は、前記環状突起の周方向の一部を前記径方向内側に向かって突出させた逆向き環状突起部に配置されている請求項２に記載のシールヘッド。
【請求項４】
内容物を収納した容器本体と、シールヘッドによって同容器本体の開口部に溶着された蓋体とを備え、
前記溶着によって前記開口部に形成されたシール溝部の少なくとも一部が、前記開口部の径方向内側と径方向外側との間で断面輪郭の曲率半径が異なる不均等溝部とされている容器。
【請求項５】
前記不均等溝部の前記断面輪郭は、前記径方向内側が径方向外側よりも曲率半径の小さな形状を備えている請求項４に記載の容器。
【請求項６】
前記シール溝部が前記開口部の全周に沿って無端状に延びた環状シール溝部を構成しており、
前記不均等溝部は、前記環状シール溝部の周方向の一部を前記径方向内側に向かって突出させた逆向き環状シール溝部に配置されている請求項５に記載の容器。
【発明の詳細な説明】
【技術分野】
【０００１】
本発明は、内容物を収納した容器本体の開口部に蓋体を溶着するために用いるシールヘッド、および、同シールヘッドを用いて封止された容器に関する。
【背景技術】
【０００２】
この種のシールヘッド及び容器に関連する先行技術文献情報として下記に示す特許文献１がある。この特許文献１に記された発明は、アルミ箔を含まない蓋体を用いる点を特徴としており、蓋体による容器本体の封止に際しては、容器本体の開口部の形状に対応した環状の押圧端部を備えた一般的なシールヘッドが用いられている。
【先行技術文献】
【特許文献】
【０００３】
【特許文献１】特開平９−１３６３８８号公報（００１５段落、図３）
【発明の概要】
【発明が解決しようとする課題】
【０００４】
しかし、特許文献１に記されたシールヘッドによって形成される封止構造では、当然ながら、蓋体を容器の内側から持ち上げて開封するために必要な圧力の下限値と、蓋体を容器の外側から持ち上げて開封するために必要な圧力の下限値とは互いにほぼ拮抗しており、例えば、輸送や貯蔵などの流通時に容器の外側から加えられる応力によっては蓋体が簡単に開封されないが、容器内の圧力の上昇によっては比較的スムースに蓋体が開封されるなど、従来に比べて高機能な封止構造を形成することはできなかった。
【０００５】
そこで、本発明の目的は、上に例示した従来技術が与える状況に鑑み、容器の内圧によって比較的スムースに開封され易く、且つ、輸送や貯蔵などの流通時に容器の外側から作用する応力によっては開封され難いなど、より高機能な封止構造を与えることの可能なシールヘッド、および、同シールヘッドによって高機能な封止構造を付与された容器を提供することにある。
【課題を解決するための手段】
【０００６】
本発明によるシールヘッドの特徴構成は、
内容物を収納した容器本体の開口部に蓋体を溶着するべく、前記蓋体を前記開口部に押し付けるための押圧端部を先端に有するシールヘッドであって、
前記押圧端部の少なくとも一部が、前記開口部の径方向内側と径方向外側との間で断面輪郭の曲率半径が異なる不均等凸部として形成されている点にある。
【０００７】
上記の特徴構成を備えたシールヘッドでは、押圧端部の少なくとも一部において、断面輪郭の曲率半径が径方向内側と径方向外側との間で異ならせてあるため、シールヘッドの押圧端部によって開口部に形成されるシール溝部の該当部分にも、径方向内側と径方向外側との間で断面輪郭の曲率半径が異なる不均等溝部が形成されることになる。ここで、出願人は鋭意研究の結果、シール溝部の断面輪郭の曲率半径を小さくするほど、蓋体を開口部から剥離するために必要な応力は小さくなるという知見を得ている。したがって、例えば、前記押圧端部の少なくとも一部を、開口部の径方向内側の方が径方向外側よりも断面輪郭の曲率半径が小さな不均等凸部として形成しておくことで、容器内の内圧上昇によって比較的スムースに開封されるが、輸送や貯蔵などの流通時に容器の外側から作用する応力によっては開封され難いという、より高機能な封止構造を備えた容器を作製することが可能となった。尚、逆に、径方向外側の方が径方向内側よりも断面輪郭の曲率半径が小さな不均等凸部とした場合も、環境変化などに基づく容器の内圧上昇によって不用意に開封される虞は抑制しつつ、蓋体を容器の外側から引き上げる応力によっては比較的スムースに開封されるという、やはり高機能な封止構造が得られる。
【０００８】
本発明によるシールヘッドの他の特徴構成は、前記不均等凸部の前記断面輪郭は、前記径方向内側が径方向外側よりも曲率半径の小さな形状を備えている点にある。
【０００９】
本構成であれば、シールヘッドによって開口部に形成されるシール溝部の少なくとも一部は、開口部の径方向内側の方が径方向外側よりも断面輪郭の曲率半径が小さな不均等溝部となるので、特に、得られた容器を容器本体に対する変形操作に基づく内圧上昇によって蓋体を内側から開封させるポーション容器として利用した場合に、容器の内圧によって比較的スムースに開封されるが、輸送や貯蔵などの流通時に容器の外側から作用する応力によっては開封され難い、付加価値の高い優れたポーション容器が得られる。
【００１０】
本発明によるシールヘッドの他の特徴構成は、前記押圧端部が前記開口部の全周に沿って無端状に延びた環状突起を構成しており、前記不均等凸部は、前記環状突起の周方向の一部を前記径方向内側に向かって突出させた逆向き環状突起部に配置されている点にある。
【００１１】
本構成であれば、シールヘッドによって開口部に形成されるシール溝部も、開口部の全周に沿って無端状に延びた環状シール溝部となり、この環状シール溝部の周方向の一部にも、径方向内側に向かって突出した逆向き環状シール溝部が得られ、容器本体内の内圧が上昇した場合、この逆向き環状シール溝部の径方向内側を向いた先端が、環状シール溝部の中で容器本体内の内圧が最も集中する箇所となり、同内圧によって蓋体の剥離が開始される剥離開始部の役割を果たす。したがって、ポーション容器として用いた場合、使用者は内容物が開口部のどの部位から排出されるかを高い精度で事前に知ることができ、その結果、最終的に容器内に残留する内容物の量も十分に少なくできる。
【００１２】
本発明による容器の特徴構成は、
内容物を収納した容器本体と、シールヘッドによって同容器本体の開口部に溶着された蓋体とを備え、
前記溶着によって前記開口部に形成されたシール溝部の少なくとも一部が、前記開口部の径方向内側と径方向外側との間で断面輪郭の曲率半径が異なる不均等溝部とされている点にある。
【００１３】
出願人による研究の結果、シール溝部の断面輪郭の曲率半径を小さくするほど、蓋体を開口部から剥離するために必要な応力は小さくなることが判明している。したがって、上記の特徴構成を備えた容器では、例えば、シール溝部の前記少なくとも一部を、開口部の径方向内側の方が径方向外側よりも断面輪郭の曲率半径が小さな不均等溝部として形成しておくことで、容器内の内圧上昇によって比較的スムースに開封されるが、輸送や貯蔵などの流通時に容器の外側から作用する応力によっては開封され難いという、より高機能な封止構造を備えた容器が得られる。尚、逆に、径方向外側の方が径方向内側よりも断面輪郭の曲率半径が小さな不均等溝部とした場合も、環境変化などに基づく容器の内圧上昇によって不用意に開封される虞は抑制しつつ、蓋体を容器の外側から引き上げる応力によっては比較的スムースに開封されるという、やはり高機能な封止構造が得られる。
【００１４】
本発明による容器の他の特徴構成は、前記不均等溝部の前記断面輪郭は、前記径方向内側が径方向外側よりも曲率半径の小さな形状を備えている点にある。
【００１５】
本構成であれば、特に、得られた容器を容器本体に対する変形操作に基づく内圧上昇によって蓋体を内側から開封させるポーション容器として利用した場合に、容器の内圧によって比較的スムースに開封されるが、輸送や貯蔵などの流通時に容器の外側から作用する応力によっては開封され難い、付加価値の高い優れたポーション容器が得られる。
【００１６】
本発明による容器の他の特徴構成は、前記シール溝部が前記開口部の全周に沿って無端状に延びた環状シール溝部を構成しており、前記不均等溝部は、前記環状溝の周方向の一部を前記径方向内側に向かって突出させた逆向き環状シール溝部に配置されている点にある。
【００１７】
本構成であれば、容器本体内の内圧が上昇した場合、逆向き環状シール溝部の径方向内側を向いた先端が、環状シール溝部の中で容器本体内の内圧が最も集中する箇所となり、同内圧によって蓋体の剥離が開始される剥離開始部の役割を果たす。したがって、ポーション容器として用いた場合、使用者は内容物が開口部のどの部位から排出されるかを高い精度で事前に知ることができ、その結果、最終的に容器内に残留する内容物の量も十分に少なくできる。
【図面の簡単な説明】
【００１８】
【図１】ポーション容器の外観を示す斜視図である。
【図２】希釈用ボトルとセットされたポーション容器とを示す断面図である。
【図３】希釈用ボトルと変形、開封されたポーション容器とを示す断面図である。
【図４】ポーション容器の容器本体と蓋体を示す断面図である。
【図５】容器本体の変形工程を示す平面図である。
【図６】環状シール部を示す平面図である。
【図７】分離シール部の分離工程を示す斜視図である。
【図８】シールヘッドによる環状シール部のシール工程を示す断面図である。
【図９】分離シール部とシールヘッドの環状突起とを示す断面図である。
【図１０】別実施形態における分離シール部とシールヘッドの環状突起とを示す断面図である。
【発明を実施するための形態】
【００１９】
以下に本発明を実施するための形態について図面を参照しながら説明する。
（ポーション容器の概略構成）
図１は本発明に係るシールヘッドによって作製されたポーション容器の一例を示しており、この図１のポーション容器１は、液体状などの内容物Ｃを収納した有底で樹脂製の容器本体２と、同容器本体２の開口部を密閉状に閉じる樹脂製の蓋体９とを備え、容器本体２の少なくとも一部は外力によって容易に変形されるように構成されている。
【００２０】
容器本体２と蓋体９とは、容器本体２の開口部から径方向外側に延出されたフランジ５のフランジ面５Ａに沿って環状に形成された環状シール部６によって封止されているが、容器本体２の底面３などへの押し圧力によって、容器本体２の内容積が縮小するように容器本体２の一部が変形して、容器本体２内の圧力が臨界値に達すると、環状シール部６の一部で蓋体９がフランジ面５Ａから剥離することで開封が行われる。
【００２１】
尚、容器本体２に内容物Ｃと共に空気が存在する場合でも、ポーション容器１を蓋体９が下方となる反転姿勢とした状態で開封が行われれば、空気ではなく内容物Ｃが先行して排出される。
【００２２】
環状シール部６の所定箇所には、環状シール部６内の他の箇所よりも容器本体２の内圧上昇によって剥離され易い分離シール部６Ｓが設けられている。したがって、容器本体２内の内圧上昇によってフランジ面５Ａから剥離する蓋体９の位置は必ずこの分離シール部６Ｓとなるため、使用者は排出される内容物Ｃが向かう方向を予測し易くなる。
【００２３】
図１及び図４に示すように、容器本体２のフランジ５の一部には、径方向内側に窪んだ被係合凹部５Ｂ（被係合凹部５Ｂは平面視でのフランジ５の外形に窪みとして表出する）が形成されており、この被係合凹部５Ｂに対応するフランジ面５Ａの領域には、底面３に向かって窪んだ平面視で概して矩形の流出溝５Ｄ（流出溝５Ｄは正面視でのフランジ５の外形に窪みとして表出する）が形成されている。この流出溝５Ｄは、分離シール部６Ｓが剥離した際に内容物Ｃが流出する流出路を構成している。分離シール部６Ｓは平面視においてこれら被係合凹部５Ｂ及び流出溝５Ｄに対応した角度位置に配置されている。
【００２４】
（希釈用ボトルの構成）
図２は、上記のポーション容器１と組み合わせて用いることで、ポーション容器１から排出された内容物Ｃを他の液体Ｌなどと容易に混合することの可能なボトル１０の一例と、ボトル１０にセットされたポーション容器１とを示している。
【００２５】
図２のボトル１０は、ポーション容器１と比べて大きな内容量を持つ有底のボトル本体１１と、ボトル本体１１の上部に設けられた開封支持体１２と、開封支持体１２の内面に沿って上下に移動自在に支持された加圧部材２０とを有する。
【００２６】
開封支持体１２は、ボトル本体１１の内部と連通した内部を有する円筒部１２Ａと、円筒部１２Ａの上下の中間位置から径方向外側に延出された円板状のフランジ部１２Ｂとを備えている。開封支持体１２は、フランジ部１２Ｂよりも下方の円筒部１２Ａの外周に形成された雄ネジ１２Ｓを介して、ボトル本体１１の開口部の内面に形成された雌ネジ部１１Ｓに螺合されている。
【００２７】
円筒部１２Ａの内側には、ポーション容器１を蓋体９が下方を向いた姿勢で支持させるための容器支持部１３が設けられている。
容器支持部１３は、円筒部１２Ａの上方内部空間とボトル本体１１の内部空間とを連通させるべく上下に延びた開口部１４に向かって次第に低くなる傾斜面１３Ａを備えている。
【００２８】
加圧部材２０は、開封支持体１２の円筒部１２Ａの内面に対して摺動自在に設けられたピストン体２１と、ピストン体２１の上面から上方に延出された棒状の支持軸２２と、支持軸２２の上端に取り付けられた概して円板状の操作片２３とを有する。
【００２９】
ポーション容器１を容器支持部１３の傾斜面１３Ａに載置した状態で、使用者が操作片２３を介して加圧部材２０を下方に押し下げていくと、図５に例示するように、容器本体２の変形によって容器本体２内の圧力が臨界値に達し、分離シール部６Ｓ付近で蓋体９がフランジ面５Ａから剥離しようとするが、ポーション容器１の分離シール部６Ｓは開口部１４と上方から対向した状態が得られているので、蓋体９は傾斜面１３Ａなどによって阻害されることなく自由に剥離し、円滑な開封が行われる。
【００３０】
加圧部材２０を更に押し下げていくと、図５の（ｄ）に例示するように、主に容器本体２の側壁部４が上下方向に収縮した形状に変形することで、内容物Ｃの大半がボトル本体１１の内部に排出される。
【００３１】
（側壁部の詳細な構成）
図４に示すように、容器本体２の側壁部４は、底面３に向かって次第に縮径化される筒状体によって構成されており、フランジ５の裏面から底面３に向かって延出した基端部４Ａと、底面３からフランジ５に向かって延出された先端部４Ｃと、これら基端部４Ａと先端部４Ｃとを接続する中間部４Ｂとを備える。
【００３２】
中間部４Ｂは基端部４Ａ及び先端部４Ｃよりも壁面の肉厚を薄く成形することで、基端部４Ａ及び先端部４Ｃよりも外力によって変形し易くなっている。尚、成形後に基端部４Ａ及び先端部４Ｃのみにリブを形成する、或いは、中間部４Ｂにのみ折り目を形成するなどの他の手法によって中間部４Ｂを他の二箇所４Ａ，４Ｃよりも変形し易くしてもよい。
【００３３】
したがって、前述したように操作片２３を介して加圧部材２０を下方に押し下げていくと、側壁部４のうちで薄い中間部４Ｂが主体的に座屈する形態で容器本体２の変形が進められる。
【００３４】
図５には、側壁部４が未だ変形を受けていない初期の（ａ）から、中間部４Ｂの大半が基端部４Ａと先端部４Ｃの間に入り込むまで側壁部４が十分に変形した（ｄ）まで、４つの状態が変形の進行に従って並べられている。
【００３５】
この実施形態では、特に、図５の（ａ）に例示するように、基端部４Ａと中間部４Ｂの境界付近、及び、中間部４Ｂと先端部４Ｃとの境界付近には径方向に延びた微細な段差が設けられている。これらの段差の箇所では、中間部４Ｂが基端部４Ａよりも小径となり、先端部４Ｃが中間部４Ｂよりも小径となっている。
【００３６】
したがって、側壁部４が座屈変形して上下方向に縮小される際には、図５の（ｄ）に例示されるように、中間部４Ｂの一部が基端部４Ａの径方向内側に進入し、先端部４Ｃが中間部４Ｂの径方向内側に進入する形態の変形が行われる。
【００３７】
また、この実施形態では、図５の（ａ）などに例示するように、側壁部４の周方向の一部には、蓋体９を下方にした容器本体２の姿勢における中間部４Ｂの端部（図５では中間部４Ｂの下端）付近から、概して底面３側に向かって、次第に周方向の左右一方（図５では左）に変位しながら次第に幅狭となり、中間部４Ｂと先端部４Ｃの境界付近に上方終端１６Ｐを有する傾斜凹部１６が設けられている。
【００３８】
図４及び図５に示すように、基端部４Ａにおける被係合凹部５Ｂの径方向内側の箇所には、フランジ面５Ａの裏面から底面３に向かって概して軸芯Ｘに沿って直線状に延びた基端凹部１５が設けられている。基端凹部１５は平面視において径方向内側に突出した円弧状に窪んでおり、傾斜凹部１６はこの基端凹部１５の端部（図５では基端凹部１５の上端）から底面３に向かって連続的に延びている。
【００３９】
そこで、加圧部材２０などによって側壁部４に上下方向の応力が加えられると、傾斜凹部１６の上方終端１６Ｐ付近に応力または歪みが集中するため、図５の（ｂ）に例示するように、同上方終端１６Ｐ付近から側壁部４の座屈変形が開始される。
【００４０】
図５の２番目の（ｂ）は、傾斜凹部１６の上方終端１６Ｐ付近に対応する箇所で側壁部４の座屈変形が開始された状況を示しており、更に上下方向の応力が加えられると、中間部４Ｂの一部が径方向内側に折れ曲がり、基端部４Ａの径方向内側に進入した図５の３番目の（ｃ）の状態が得られる。
【００４１】
次に、図５の（ｃ）の状態から更に上下方向の応力が加えられると、基端部４Ａの径方向内側で下方に突出した中間部４Ｂの折れ曲がり箇所が、中間部４Ｂの中で次第に底面３側に移動しながら、同時にフランジ５に近付き、中間部４Ｂの大半が基端部４Ａと先端部４Ｃの間に入り込むまで側壁部４が十分に変形した図５の４番目の（ｄ）の状態に達する。
【００４２】
この間、遅くとも３番目の図５の（ｃ）の状態では、図７の（ｄ）に例示するように、分離シール部６Ｓのみにおいて蓋体９がフランジ５Ａから剥離して、開封が行われ、流出溝５Ｄと蓋体９の間から内容物Ｃが排出され始める。このとき、流出溝５Ｄと剥離した蓋体９の裏面との間には、図５及び図７に示すように、径方向に沿って延びる筒状の流出案内空間ＦＳが形成されるので、内容物Ｃはこの筒状の流出案内空間によって案内された安定した形で排出される。
【００４３】
尚、側壁部４の中間部４Ｂには、例えば搬送時の衝撃などで変形しないよう、肉厚の薄い箇所の強度を高める目的で、軸芯Ｘに対して同じ方向に傾斜した複数の細い線状凹部８が概して等間隔でリブ状に形成されている。
【００４４】
（環状シール部の詳細な構成）
図１及び図６に示すように、容器本体２と蓋体９とを封止している環状シール部６は、全周に亘って、フランジ面５Ａの幅の全体が面状に溶着された形態ではなく、フランジ面５Ａの幅の一部を占めるライン状に溶着された形態を呈している。
【００４５】
より具体的には、環状シール部６は、図６に示すように、被係合凹部５Ｂの径方向内側の位置で三角形の第１島状部７Ａを含む三角形状に設けられた三角シール部６Ｔと、フランジ面５Ａの被係合凹部５Ｂを除く部位において径方向外側に突出する環状または直線状に形成された最も長い一般シール部６Ｇと、一般シール部６Ｇの両端から被係合凹部５Ｂ寄りに第２島状部７Ｂを含むように設けられた左右一対の非分離シール部６Ｄと、三角シール部６Ｔと非分離シール部６Ｄとを接続する左右一対の連結環状シール部６Ｃとを有する。
尚、本明細書において島状部とは、蓋体９がフランジ面５Ａに対して意図的に部分的に溶着されずに、周囲の溶着された部位の内部に島状に残された部位を指す。
【００４６】
また、環状シール部６は、非分離シール部６Ｄと連結環状シール部６Ｃとの境界付近から流出溝５Ｄを挟んで互いに対向するように延出された左右一対の補助非分離シール部６Ｅを有する。
【００４７】
１つだけ設けられた三角シール部６Ｔと２つある非分離シール部６Ｄとは、内部に第１島状部７Ａや第２島状部７Ｂを含む環状を呈することで、環状シール部６が作る全体的な一次環状部の一部に二次環状部が含まれた形態とされている。ここで、一次環状部とは容器本体２の開口部全体を取り囲むように延びた単一の大きなシール部を指し、二次環状部とは第１島状部７Ａや第２島状部７Ｂを取り囲むように延びた小さなシール部を指す。
【００４８】
この実施形態では、主に三角シール部６Ｔが、環状シール部６内の他の箇所よりも容器本体２の内圧上昇によって剥離され易い分離シール部６Ｓを構成している。
三角シール部６Ｔは、フランジ面５Ａにおける被係合凹部５Ｂの径方向内側に相当する領域に沿って設けられており、全体として環状シール部６の径方向内側に向かって突出した左右対称な二等辺三角形状を呈している。
【００４９】
三角シール部６Ｔの中で、この二等辺三角形の径方向内側に位置する２辺は、一般シール部６Ｇとは逆に、平面視において開口部の径方向内側に向かって突出するように湾曲した逆向き環状シール部６Ａとされている。
他方、二等辺三角形の径方向外側の底辺に相当する１辺は、逆向き環状シール部６Ａの両端を連結するように直線状に延びた補助分離シール部６Ｂとされている。
【００５０】
その径方向内側に向かって突出するように湾曲しているという形状的な特徴の結果、容器本体２の変形によって内圧が上昇する際には、逆向き環状シール部６Ａの径方向内側を向いた先端Ｒ１（図６及び図７を参照）が、環状シール部６の中で容器本体２内の内圧が最も集中する箇所となり、逆向き環状シール部６Ａは同内圧によって蓋体９の剥離が開始される剥離開始部の役割を果たす。
【００５１】
図７は、蓋体９の剥離または環状シール部６の分離が未だ開始されていない初期の（ａ）から、容器本体２の内圧Ｆによって分離シール部６Ｓでの蓋体９の剥離が完了した状態を示す（ｄ）まで、４つの図が剥離（分離）の進行に従って並べられている。
【００５２】
図７の２番目の（ｂ）は、逆向き環状シール部６Ａの先端Ｐ１で蓋体９の剥離が開始された状態を示し、３番目の（ｃ）は、逆向き環状シール部６Ａの全体に亘って蓋体９の剥離が進んでいるが、未だ直線状の補助分離シール部６Ｂでは剥離が生じていない状態を示している。
【００５３】
３番目の（ｃ）に示すように、逆向き環状シール部６Ａの剥離後は、補助分離シール部６Ｂが容器本体２内の内圧Ｆが最も集中する箇所となるため、内圧Ｆによって補助分離シール部６Ｂでの蓋体９の剥離が進み始める。
【００５４】
補助分離シール部６Ｂにおける蓋体９の剥離が進行した結果、４番目の（ｄ）に示すように、補助分離シール部６Ｂの一部が少しでも分離すれば、環状シール部６の部分的な分離が達成され、容器本体２からの内容物Ｃの排出が開始される。
【００５５】
最終的に、図７の４番目の（ｄ）に示すように、直線状の補助分離シール部６Ｂの全長に亘って蓋体９の剥離が行われた状態で、言い換えれば、概して分離シール部６Ｓを構成する三角シール部６Ｔの領域のみで剥離、開封が行われた段階で、環状シール部６の分離は完了するが、内容物Ｃの概して全量を適度な速度で排出するために必要なだけの流出路は確保される。
【００５６】
ところで、図８に例示するように、環状シール部６は、環状シール部６の形状に対応した形状の環状突起３１（押圧端部の一例）を下端に備えた高温のシールヘッド３０によって、蓋体９を容器本体２のフランジ面５Ａに所定時間（例えば１〜数秒間）に亘って押付けることによってシールされている。
【００５７】
そのために、ラミネートフィルムからなる蓋体９を構成する複数層の中で、フランジ面５Ａに接する最下層には、シールヘッド３０の熱と圧力によって一時的に軟化してフランジ面５Ａに熱融着する作用を備えたポリオレフィン系の樹脂を含むヒートシール層（不図示）が設けられている。
【００５８】
シールヘッド３０の押付けによって、シールヘッド３０の下端に設けられた環状突起３１に対応した箇所で蓋体９がヒートシール層によってフランジ面５Ａに溶着され、同時に、環状突起３１に対応した溝状の凹部がフランジ面５Ａに形成される。
【００５９】
本発明に係る研究成果の一つとして、環状シール部６の溝状の断面形状の中では、溝の縁部（溝の両側の僅かに盛り上がった部位）が最も大きな接合力を示すという知見が得られた。したがって、より大きな接合力を得るためには、単に接着面積を増加させたり、シールヘッド３０によって形成される溝の幅寸法を増加させたりするよりも、溝の数を増やすほうが効果的であることが判明した。
【００６０】
また、環状突起３１の断面形状は環状シール部６の接合力を制御する大きな要素であるが、図９に示すように、一般シール部６Ｇを含めて環状シール部６の大半を形成するために設けられた環状突起３１については、径方向内側の部位と径方向外側の部位とが同等の形状を備えた、すなわち左右対称の断面形状とされている。
【００６１】
本発明に係るシールヘッド３０の大きな特徴は、逆向き環状シール部６Ａを形成するために設けられた環状突起３１Ａについては、径方向外側の部位（図９のＱ２）は、他の補助分離シール部６Ｂを形成するために設けられた一般的な環状突起３１Ｂ（均等凸部）と同等の曲率半径を備えるが、径方向内側の部位（図９のＱ１）には、径方向外側の部位（Ｑ２）よりも小さな曲率半径が採用されることで、周方向に沿って見たときに左右非対称となる特殊な断面形状（不均等凸部）とされている点である。
【００６２】
したがって、図９の下方に示すように、環状突起３１Ａによってシールされた逆向き環状シール部６Ａの断面は、径方向内側の部位（Ｒ１）が、径方向外側の部位（Ｒ２）に比べて急な角度で底面３向きに窪む特殊な形状となる。すなわち、シールヘッド３０によって形成された逆向き環状シール部６Ａの溝は、径方向内側からの剥離力に対する抵抗力が、径方向外側からの剥離力に対する抵抗力を明確に下回るシール力不均等溝となる。その結果、逆向き環状シール部６Ａの径方向内側に位置する部位は、環状シール部６の他の部位に比べて比較的小さな内圧Ｆで剥離が開始されることになるため、前述した先端Ｐ１（径方向内側の端部）が剥離開始点として確実に機能することになる。
【００６３】
他方、逆向き環状シール部６Ａの径方向外側に位置する部位（Ｒ２）は、補助分離シール部６Ｂなどと同等の角度で底面３向きに窪む一般的な断面形状を備えているので、流通時などに外部からの応力で蓋体９が開封されてしまう不都合な現象が防止されている。
【００６４】
次に、左右一対の非分離シール部６Ｄは、図７に示すように、流出溝５Ｄの周方向外側に配置されており、２本の環状シール部が、平面視で流線型を呈する第２島状部７Ｂを囲むように、周方向に沿って延びた形態を示す。このように非分離シール部６Ｄでは、第２島状部７Ｂを囲む２本の環状シール部を設けていることで、前述した溝の縁部の数が倍増するため、１本の環状シール部からなる一般シール部６Ｇを大きく上回る接合力で蓋体９が封止されている。また、非分離シール部６Ｄをシールするための環状突起３１Ａの部位は、補助分離シール部６Ｂなどと同等の曲率半径を備えた左右対称の一般的な断面形状とされている。その結果、もしも容器本体２の内圧上昇速度が一般的に想定されている範囲を超えた場合でも、分離シール部６Ｓで開始された分離が非分離シール部６Ｄにまで及ぶ虞は少ない。
【００６５】
三角シール部６Ｔと非分離シール部６Ｄとの間は、左右一対の各１本の連結環状シール部６Ｃによって接続されており、非分離シール部６Ｄと連結環状シール部６Ｃとの境界付近からは、左右一対の補助非分離シール部６Ｅが、流出溝５Ｄを挟んで互いに対向するように、流出溝５Ｄの直ぐ手前まで延出されている。連結環状シール部６Ｃ及び補助非分離シール部６Ｅについても、補助分離シール部６Ｂなどと同等の曲率半径を備えた左右対称の一般的な断面形状とされている。
【００６６】
図７の最後に付した（ｄ）に例示するように、左右一対の補助非分離シール部６Ｅもまた非分離シール部６Ｄと同様に分離されることはなく、補助非分離シール部６Ｅは、蓋体９の剥離によって形成される流出路の幅を所定の予定値（三角シール部６Ｔの幅すなわち補助分離シール部６Ｂの長さと一致する）以下に制限する機能を果たしている。
【００６７】
〔別実施形態〕
〈１〉径方向内側の部位が径方向外側の部位に比べて急な角度で底面３向きに窪むシール力不均等溝を、逆向き環状シール部６Ａのみでなく補助分離シール部６Ｂにも適用した形態や、環状シール部６の全周において適用した形態で実施することも可能である。この場合は、シールヘッド３０の環状突起３１Ａにおける該当箇所を、径方向内側の部位が径方向外側の部位よりも小さな曲率半径を有する左右非対称の特殊な断面形状としておくことが必要である。
【００６８】
〈２〉ポーション容器に収納しておく内容物としては液体に限らず、粉体と液体の混合物、粉体と気体の混合物などを用いることも可能である。
【００６９】
〈３〉図１０に例示するように、上記の実施形態とは逆に、シールヘッド１３０の押圧端部１３１に、径方向外側の部位Ｑ１２が径方向内側の部位Ｑ１１よりも曲率半径の小さな形状を備えた断面輪郭を持つ不均等凸部１３１Ａが形成された形態で実施することも可能である。不均等凸部１３１Ａは周方向の一部に設けてもよいし、周方向の全体に設けてもよい。
【００７０】
このようなシールヘッド１３０を用いて蓋体９を封止すると、当然ながら、溶着によって開口部に形成された環状シール部６のシール溝部のうちで不均等凸部１３１Ａに対応する箇所は、径方向外側の部位Ｒ１２が径方向内側の部位Ｒ１１よりも曲率半径の小さな形状を備えた断面輪郭を持つ不均等溝部となる。その結果、例えば、輸送中などの環境変化に基づく容器の内圧上昇によって不用意に開封される虞は抑制しつつ、蓋体を容器の外側から引き上げる応力によっては比較的スムースに開封される、高機能な封止構造が得られる。このような容器は、容器内の内圧上昇に基づいて開封されるタイプではなく、蓋体を外側から剥離操作して開封するタイプのポーション容器、或いは、ポーション容器以外の容器として利用できる。
【００７１】
〈４〉本発明は、上記の実施形態で説明した深さを備えた容器に限らず、実質的に深さのないテープ状などの形態を備えた容器にも適用可能である。このような容器の例としては、例えば、テープ状の基体（容器の一例）の一面に、ゼリー状などの炎症治療薬（内容物の一例）が塗布されており、炎症治療薬を覆う形で基体の縁部（開口部の一例）にカバーフィルムが溶着されており、使用者がカバーフィルムを剥離すると、炎症治療薬が露出されて患部に塗り付けることが可能となる治療用テープなどが考えられる。
【産業上の利用可能性】
【００７２】
内容物を収納した容器本体の開口部に蓋体を溶着するために用いるシールヘッド、および、同シールヘッドを用いて封止された容器に従来見られた課題を解決するための技術として利用可能な発明である。
【符号の説明】
【００７３】
１        ：ポーション容器
２        ：容器本体
５        ：フランジ
５Ａ      ：フランジ面
６        ：環状シール部
６Ａ      ：逆向き環状シール部（不均等溝）
６Ｓ      ：分離シール部
６Ｔ      ：三角シール部
９        ：蓋体
３０      ：シールヘッド
３１      ：環状突起（押圧端部）
３１Ａ    ：環状突起（不均等凸部）
３１Ｂ    ：環状突起（均等凸部）
Ｃ        ：内容物
Ｐ１      ：先端
Ｑ１      ：径方向内側の部位（不均等凸部）
Ｑ１１    ：径方向内側の部位（不均等凸部）
Ｑ２      ：径方向外側の部位（不均等凸部）
Ｑ１２    ：径方向外側の部位（不均等凸部）
Ｒ１      ：径方向内側の部位（不均等溝部）
Ｒ１１    ：径方向内側の部位（不均等溝部）
Ｒ２      ：径方向外側の部位（不均等溝部）
Ｒ１２    ：径方向外側の部位（不均等溝部）
【図１】
2015009881.tif 000003
【図２】
2015009881.tif 000004
【図３】
2015009881.tif 000005
【図４】
2015009881.tif 000006
【図５】
2015009881.tif 000007
【図６】
2015009881.tif 000008
【図７】
2015009881.tif 000009
【図８】
2015009881.tif 000010
【図９】
2015009881.tif 000011
【図１０】
2015009881.tif 000012